(57)【特許請求の範囲】
【請求項１】
湯水を貯蔵する貯湯タンクと、湯水を加熱する複数台の熱源機とを備え、前記貯湯タンクと前記複数台の熱源機との間で湯水を循環させて、前記貯湯タンクの湯水を前記熱源機により加熱する貯湯式給湯システムにおいて、
前記貯湯タンクから前記複数台の熱源機に湯水を送るための、前記貯湯タンクに接続された第１配管、及び前記複数台の熱源機の各々に接続された複数の第２配管と、
前記第１配管と前記複数の第２配管とを接続し、前記第１配管に流れる湯水を前記複数の第２配管に分流する第１のヘッダユニットと、
前記複数台の熱源機から前記貯湯タンクに湯水を戻すための、前記複数台の熱源機の各々に接続された複数の第３配管、及び前記貯湯タンクに接続された第４配管と、
前記複数の第３配管と前記第４配管を接続し、前記複数の第３配管に流れる湯水を前記第４配管に合流する第２のヘッダユニットと、
前記第１のヘッダユニット又は第２のヘッダユニットの少なくともいずれか一方に設けられ、前記貯湯タンクと前記複数台の熱源機との間で湯水を循環させる循環ポンプと、
を備え、
前記第１のヘッダユニットは、前記第１配管に接続されるヘッダと、前記ヘッダから分岐し、前記複数の第２配管の各々に接続される複数の枝管と、を備え、
前記第２のヘッダユニットは、前記第４配管に接続されるヘッダと、前記ヘッダから分岐し、前記複数の第３配管の各々に接続される複数の枝管と、を備え、
前記第１のヘッダユニット又は第２のヘッダユニットのうち、前記循環ポンプが設けられているヘッダユニット内のヘッダに、前記循環ポンプが設けられ、複数の枝管の各々に、湯水の流量を調整する流量調整弁が設けられていることを特徴とする貯湯式給湯システム。
【請求項２】
湯水を貯蔵する貯湯タンクと、湯水を加熱する複数台の熱源機とを備え、前記貯湯タンクと前記複数台の熱源機との間で湯水を循環させて、前記貯湯タンクの湯水を前記熱源機により加熱する貯湯式給湯システムにおいて、
前記貯湯タンクから前記複数台の熱源機に湯水を送るための、前記貯湯タンクに接続された第１配管、及び前記複数台の熱源機の各々に接続された複数の第２配管と、
前記第１配管と前記複数の第２配管とを接続し、前記第１配管に流れる湯水を前記複数の第２配管に分流する第１のヘッダユニットと、
前記複数台の熱源機から前記貯湯タンクに湯水を戻すための、前記複数台の熱源機の各々に接続された複数の第３配管、及び前記貯湯タンクに接続された第４配管と、
前記複数の第３配管と前記第４配管を接続し、前記複数の第３配管に流れる湯水を前記第４配管に合流する第２のヘッダユニットと、
前記第１のヘッダユニット又は第２のヘッダユニットの少なくともいずれか一方に設けられ、前記貯湯タンクと前記複数台の熱源機との間で湯水を循環させる循環ポンプと、
を備え、
前記第１のヘッダユニットは、前記第１配管に接続されるヘッダと、前記ヘッダから分岐し、前記複数の第２配管の各々に接続される枝管と、を備え、
前記第２のヘッダユニットは、前記第４配管に接続されるヘッダと、前記ヘッダから分岐し、前記複数の第３配管の各々に接続される枝管と、を備え、
前記第１のヘッダユニット又は第２のヘッダユニットのうち、前記循環ポンプが設けられているヘッダユニット内の複数の枝管の各々に、前記循環ポンプが設けられ、
前記第１のヘッダユニット又は第２のヘッダユニットのうち、前記循環ポンプが設けられているヘッダユニットは、前記複数の枝管同士を接続するバイパス管を備え、
前記バイパス管に、前記複数の枝管同士を連通する状態と遮断する状態とに切替える仕切り弁が設けられていることを特徴とする貯湯式給湯システム。
【発明の詳細な説明】
【技術分野】
【０００１】
本発明は、湯水を貯えて加熱し、その貯えて加熱した湯水を給湯する貯湯式給湯システムに関するものである。
【背景技術】
【０００２】
従来から、貯湯式給湯システムにおいて、貯湯タンクに貯えた湯水を複数台の熱源機（ヒートポンプユニット）により加熱するようにしたものが知られている（例えば特許文献１参照）。このような貯湯式給湯システムについて、図６及び図７を参照して以下に説明する。
【０００３】
図６に示す貯湯式給湯システム６０は、貯湯タンク７１と複数台の熱源機７２とを備え、これらは第１配管８１、複数の第２配管８２、複数の第３配管８３、第４配管８４、第１のヘッダユニット８５、及び第２のヘッダユニット８６を介して接続され、各熱源機７２に、湯水を循環させる循環ポンプ８７が設けられている。貯湯タンク７１に貯えられた湯水は、各熱源機７２に設けられた循環ポンプ８７によって、第１配管８１、第１のヘッダユニット８５、複数の第２配管８２、複数の第３配管８３、第２のヘッダユニット８６、及び第４配管８４を経由して、貯湯タンク７１と複数台の熱源機７２との間で循環され、複数台の熱源機７２によって加熱される。
【０００４】
また、図７に示す貯湯式給湯システム７０は、図６に示した貯湯式給湯システム６０とは、第１配管８１又は第４配管８４に循環ポンプ８７が設けられている点が異なり、貯湯タンク７１に貯えられた湯水は、循環ポンプ８７によって、貯湯タンク７１と複数台の熱源機７２との間で循環され、複数台の熱源機７２により加熱される。なお、第１配管８１又は第４配管８４に循環ポンプ８７が設けられる場合、貯湯タンク７１と第１配管８１及び第４配管８４等によりタンクユニット９０が構成され、循環ポンプ８７はタンクユニット９０内に設けられる。
【特許文献１】特開２００６−５７８７１号公報
【発明の開示】
【発明が解決しようとする課題】
【０００５】
上述した図６に示した貯湯式給湯システム６０においては、熱源機７２に循環ポンプ８７が設けられているので、熱源機７２が大きくなると共に、構造が複雑になる。また、図７に示した貯湯式給湯システム７０においては、タンクユニット９０内に循環ポンプ８７が設けられるので、タンクユニット９０の構造が複雑になる。
【０００６】
本発明は、上記課題を解決するためになされたものであり、熱源機を小型化することができると共に、熱源機の構造を簡素化することができ、また、タンクユニットの構造を簡素化することができる貯湯式給湯システムを提供することを目的とする。
【課題を解決するための手段】
【０００９】
上記目的を達成するために請求項１の発明は、湯水を貯蔵する貯湯タンクと、湯水を加熱する複数台の熱源機とを備え、貯湯タンクと複数台の熱源機との間で湯水を循環させて、貯湯タンクの湯水を熱源機により加熱する貯湯式給湯システムにおいて、貯湯タンクから複数台の熱源機に湯水を送るための、貯湯タンクに接続された第１配管、及び複数台の熱源機の各々に接続された複数の第２配管と、第１配管と複数の第２配管とを接続し、第１配管に流れる湯水を複数の第２配管に分流する第１のヘッダユニットと、複数台の熱源機から貯湯タンクに湯水を戻すための、複数台の熱源機の各々に接続された複数の第３配管、及び貯湯タンクに接続された第４配管と、複数の第３配管と第４配管を接続し、複数の第３配管に流れる湯水を第４配管に合流する第２のヘッダユニットと、第１のヘッダユニット又は第２のヘッダユニットの少なくともいずれか一方に設けられ、貯湯タンクと複数台の熱源機との間で湯水を循環させる循環ポンプと、を備え、第１のヘッダユニットは、第１配管に接続されるヘッダと、ヘッダから分岐し、複数の第２配管の各々に接続される複数の枝管と、を備え、第２のヘッダユニットは、第４配管に接続されるヘッダと、ヘッダから分岐し、複数の第３配管の各々に接続される複数の枝管と、を備え、第１のヘッダユニット又は第２のヘッダユニットのうち、循環ポンプが設けられているヘッダユニット内のヘッダに、循環ポンプが設けられ、複数の枝管の各々に、湯水の流量を調整する流量調整弁が設けられているものである。
【００１０】
請求項２の発明は、湯水を貯蔵する貯湯タンクと、湯水を加熱する複数台の熱源機とを備え、貯湯タンクと複数台の熱源機との間で湯水を循環させて、貯湯タンクの湯水を熱源機により加熱する貯湯式給湯システムにおいて、貯湯タンクから複数台の熱源機に湯水を送るための、貯湯タンクに接続された第１配管、及び複数台の熱源機の各々に接続された複数の第２配管と、第１配管と複数の第２配管とを接続し、第１配管に流れる湯水を複数の第２配管に分流する第１のヘッダユニットと、複数台の熱源機から貯湯タンクに湯水を戻すための、複数台の熱源機の各々に接続された複数の第３配管、及び貯湯タンクに接続された第４配管と、複数の第３配管と第４配管を接続し、複数の第３配管に流れる湯水を第４配管に合流する第２のヘッダユニットと、第１のヘッダユニット又は第２のヘッダユニットの少なくともいずれか一方に設けられ、貯湯タンクと複数台の熱源機との間で湯水を循環させる循環ポンプと、を備え、第１のヘッダユニットは、第１配管に接続されるヘッダと、ヘッダから分岐し、複数の第２配管の各々に接続される枝管と、を備え、第２のヘッダユニットは、第４配管に接続されるヘッダと、ヘッダから分岐し、複数の第３配管の各々に接続される枝管と、を備え、第１のヘッダユニット又は第２のヘッダユニットのうち、循環ポンプが設けられているヘッダユニット内の複数の枝管の各々に、循環ポンプが設けられ、第１のヘッダユニット又は第２のヘッダユニットのうち、循環ポンプが設けられているヘッダユニットは、複数の枝管同士を接続するバイパス管を備え、バイパス管に、複数の枝管同士を連通する状態と遮断する状態とに切替える仕切り弁が設けられているものである。
【発明の効果】
【００１３】
請求項１の発明によれば、第１のヘッダユニット又は第２のヘッダユニットに循環ポンプが設けられているため、循環ポンプを熱源機とは別に個別に配置することができ、熱源機に循環ポンプを設ける必要がなく、熱源機を小型化することができると共に、熱源機の構造を簡素化することができる。また、循環ポンプを貯湯タンクと第１配管及び第４配管等を一体化して構成されるタンクユニットとは別に個別に配置することができ、タンクユニット内に循環ポンプを設ける必要がなく、タンクユニットの構造を簡素化することができる。さらに、第１のヘッダユニット又は第２のヘッダユニットが循環ポンプを保有することで、熱源機及びタンクユニットの仕様に依存せずに、貯湯式給湯システムを低コストに構築することができる。しかも、コストウエイトの高い循環ポンプを１台にして、循環ポンプよりもコストウエイトの低い流量調整弁を複数の枝管の各々に設けているので、循環ポンプを複数の枝管の各々に設ける構成（すなわち熱源機の設置台数と同じ数の循環ポンプを設ける構成）と比較して、低コスト化を図ることができる。
【００１４】
請求項２の発明によれば、第１のヘッダユニット又は第２のヘッダユニットに循環ポンプが設けられているため、循環ポンプを熱源機とは別に個別に配置することができ、熱源機に循環ポンプを設ける必要がなく、熱源機を小型化することができると共に、熱源機の構造を簡素化することができる。また、循環ポンプを貯湯タンクと第１配管及び第４配管等を一体化して構成されるタンクユニットとは別に個別に配置することができ、タンクユニット内に循環ポンプを設ける必要がなく、タンクユニットの構造を簡素化することができる。さらに、第１のヘッダユニット又は第２のヘッダユニットが循環ポンプを保有することで、熱源機及びタンクユニットの仕様に依存せずに、貯湯式給湯システムを低コストに構築することができる。また、循環ポンプを複数の枝管の各々に設けることにより、貯湯タンクと複数台の熱源機との間で湯水を循環させる構造を簡素化することができ、低コスト化を図ることができる。しかも、いずれかの循環ポンプが故障した場合、仕切り弁を開いてバイパス管を介して枝管同士を連通することにより、他の正常な循環ポンプにより、貯湯タンクと複数台の熱源機との間で湯水を循環させて、代替運転することができる。
【発明を実施するための最良の形態】
【００１５】
以下、本発明を具体化した実施形態による貯湯式給湯システムについて図面を参照して説明する。図１は、貯湯式給湯システムの構成を示す。貯湯式給湯システム１は、湯水を貯えて加熱し、その貯えて加熱した湯水を給湯するシステムである。
【００１６】
貯湯式給湯システム１は、湯水を貯蔵する貯湯タンク２と、湯水を加熱する複数台（２台）の熱源機（ヒートポンプユニット）３とを備えている。すなわち、この貯湯式給湯システム１は、貯湯タンク２と複数台の熱源機３との間で湯水を循環させて、貯湯タンク２の湯水を複数台の熱源機３により加熱し、その加熱した貯湯タンク２の湯水を給湯するようになっている。
【００１７】
そして、この貯湯式給湯システム１は、貯湯タンク２と複数台の熱源機３との間で湯水を循環させるための第１配管１１と、複数（２つ）の第２配管１２と、複数（２つ）の第３配管１３と、第４配管１４と、第１ヘッダユニット１５と、第２ヘッダユニット１６と、循環ポンプ１７とを備えている。
【００１８】
第１配管１１及び複数の第２配管１２は、貯湯タンク２から複数台の熱源機３に湯水を送るための配管である。第１配管１１は、貯湯タンク２の底部に接続されており、複数の第２配管１２は、複数台の熱源機３の各々に接続されている。また、複数の第３配管１３及び第４配管１４は、複数台の熱源機３から貯湯タンク２に湯水を戻すための配管である。複数の第３配管１３は、複数台の熱源機３の各々に接続されており、第４配管１４は、貯湯タンク２の上部に接続されている。
【００１９】
第１ヘッダユニット１５は、第１配管１１に流れる湯水を複数の第２配管１２に分流するものであり、第１配管１１と複数の第２配管１２とを接続している。また、第２ヘッダユニット１６は、複数の第３配管１３に流れる湯水を第４配管１４に合流するものであり、複数の第３配管１３と第４配管１４とを接続している。循環ポンプ１７は、貯湯タンク２と複数台の熱源機３との間で湯水を循環させるポンプであり、第１ヘッダユニット１５に設けられている。第１ヘッダユニット１５及び第２ヘッダユニット１６の構成の詳細については後述する。
【００２０】
各熱源機３は、熱交換部３ｏを有している。熱交換部３ｏは、湯水と冷媒との間で熱交換することにより、湯水を加熱するものである。熱交換部３ｏの内部で第２配管１２と第３配管１３が連通しており、熱交換部３ｏは、第２配管１２から第３配管１３に流れる湯水を加熱するようになっている。
【００２１】
また、この貯湯式給湯システム１は、貯湯タンク２に湯水を供給するための給水配管２１と、貯湯タンク２から湯水を出湯するための高温出湯配管２２、混合出湯配管２３、高温分岐配管２４、低温分岐配管２５、及び混合弁２６とを備えている。
【００２２】
給水配管２１は、貯湯タンク２の底部に接続されている。高温出湯配管２２は、高温に加熱された湯水を出湯するための配管であり、貯湯タンク２の上部に接続されている。混合出湯配管２３は、高温に加熱された湯水と加熱される前の低温の湯水とを混合して出湯するための配管であり、混合弁２６を介して高温分岐配管２４及び低温分岐配管２５に接続されている。高温分岐配管２４は、高温出湯配管２２から分岐しており、低温分岐配管２５は、給水配管２１から分岐している。混合弁２６は、高温出湯配管２２から高温分岐配管２４に流れる湯水と給水配管２１から低温分岐配管２５に流れる湯水を混合して、その混合した湯水を混合出湯配管２３に送るための弁である。
【００２３】
貯湯タンク２には、給水配管２１から低温の湯水が供給されて、湯水が貯えられる。貯湯タンク２に貯えられた湯水は、第１配管１１、第１ヘッダユニット１５、複数の第２配管１２、複数の第３配管１３、第２ヘッダユニット１６、及び第４配管１４を経由して、貯湯タンク２と複数台の熱源機３との間で循環し、複数台の熱源機３により加熱される。複数台の熱源機３により加熱されて貯湯タンク２に貯えられた湯水は、高温出湯配管２２又は混合出湯配管２３から出湯される。
【００２４】
図２は、上記第１ヘッダユニット１５の構成を示す。第１ヘッダユニット１５は、１つのヘッダ（幹管）３１と、ヘッダ３１から分岐した複数（２つ）の枝管３２を備えており、複数の枝管３２の各々に循環ポンプ１７が設けられている。すなわち、第１ヘッダユニット１５は、熱源機３の設置台数と同じ数の枝管３２を備えており、そして、熱源機３の設置台数と同じ数の循環ポンプ１７が設けられている。各循環ポンプ１７は、ヘッダ３１から枝管３２に湯水を流すように、水流を発生させるようになっている。また、各循環ポンプ１７は、湯水の流量を調整する流量調整機能を有している。
【００２５】
第１ヘッダユニット１５は、ヘッダ３１が、上記貯湯タンク２に接続されている第１配管１１に接続され、複数の枝管３２が、上記複数台の熱源機３に接続されている複数の第２配管１２の各々に接続される。従って、各枝管３２に設けられている循環ポンプ１７の働きによって、貯湯タンク２から第１配管を経由してヘッダ３１に湯水が流れ、ヘッダ３１から各枝管３２に湯水が流れ、そして、各枝管３２から各第２配管１２を経由して各熱源機３に湯水が流れる。
【００２６】
なお、第１ヘッダユニット１５は、熱源機３の事後増設に対応可能になっている。すなわち、第１ヘッダユニット１５は、枝管３２及び循環ポンプ１７を事後増設できる構成となっている。熱源機３を増設する場合には、熱源機３の増設台数に応じて枝管３２及び循環ポンプ１７が増設され、そして、増設された枝管３２が、増設された熱源機３に接続されている第２配管１２に接続される。
【００２７】
図３は、上記第２ヘッダユニット１６の構成を示す。第２ヘッダユニット１６は、１つのヘッダ（幹管）４１と、ヘッダ４１から分岐した複数（２つ）の枝管４２を備えている。すなわち、第２ヘッダユニット１６は、熱源機３の設置台数と同じ数の枝管４２を備えている。
【００２８】
第２ヘッダユニット１６は、ヘッダ４１が、上記貯湯タンク２に接続されている第４配管１４に接続され、複数の枝管４２が、上記複数台の熱源機３に接続されている複数の第３配管１３の各々に接続される。従って、上記第１ヘッダユニット１５に設けられている複数の循環ポンプ１７の働きによって、各熱源機３から各第３配管１３を経由して各枝管４２に湯水が流れ、各枝管４２からヘッダ４１に湯水が流れ、そして、ヘッダ４１から第４配管１４を経由して貯湯タンク２に湯水が流れる。
【００２９】
なお、第２ヘッダユニット１６は、熱源機３の事後増設に対応可能になっている。すなわち、第２ヘッダユニット１６は、枝管４２を事後増設できる構成となっている。熱源機３を増設する場合には、熱源機３の増設台数に応じて枝管４２が増設され、そして、増設された枝管４２が、増設された熱源機３に接続されている第３配管１３に接続される。
【００３０】
従って、貯湯タンク２に貯えられた湯水は、第１ヘッダユニット１５に設けられている複数の循環ポンプ１７の働きによって、第１配管１１、第１ヘッダユニット１５、複数の第２配管１２、複数の第３配管１３、第２ヘッダユニット１６、及び第４配管１４を経由して、貯湯タンク２と複数台の熱源機３との間で循環し、複数台の熱源機３により加熱される。
【００３１】
このような構成の貯湯式給湯システム１によれば、第１ヘッダユニット１５に循環ポンプ１７が設けられているため、循環ポンプ１７を熱源機３とは別に個別に配置することができ、熱源機３に循環ポンプ１７を設ける必要がなく、熱源機３を小型化することができると共に、熱源機３の構造を簡素化することができる。また、循環ポンプ１７を貯湯タンク２と第１配管１１及び第４配管１４等を一体化して構成されるタンクユニット５０とは別に個別に配置することができ、タンクユニット５０内に循環ポンプ１７を設ける必要がなく、タンクユニット５０の構造を簡素化することができる。さらに、第１ヘッダユニット１５が循環ポンプ１７を保有することで、熱源機３及びタンクユニット５０の仕様に依存せずに、貯湯式給湯システム１を低コストで構築することが可能となる。
【００３２】
また、循環ポンプ１７を第１ヘッダユニット１５の複数の枝管３２の各々に設けることにより、貯湯タンク２と複数台の熱源機３との間で湯水を循環させる構造を簡素化することができ、低コスト化を図ることができる。
【００３３】
図４は、上記第１ヘッダユニット１５の別の構成を示す。この第１ヘッダユニット１５は、上記図２の構成と同様に、１つのヘッダ３１と、ヘッダ３１から分岐した複数の枝管３２を備えている。そして、この第１ヘッダユニット１５は、上記図２の構成と異なり、ヘッダ３１に、循環ポンプ１７が設けられ、複数の枝管３２の各々に、湯水の流量を調整する流量調整弁３３が設けられている。すなわち、１つの循環ポンプ１７と、熱源機３の設置台数と同じ数の流量調整弁３３が設けられている。循環ポンプ１７は、ヘッダ３１から複数の枝管３２に湯水を流すように、水流を発生させるようになっている。
【００３４】
この第１ヘッダユニット１５は、上記図２の構成の場合と同様に、ヘッダ３１が、上記貯湯タンク２に接続されている第１配管１１に接続され、複数の枝管３２が、上記複数台の熱源機３に接続されている複数の第２配管１２の各々に接続される。
【００３５】
なお、第１ヘッダユニット１５は、熱源機３の事後増設に対応可能になっている。すなわち、第１ヘッダユニット１５は、枝管３２及び流量調整弁３３を事後増設できる構成となっている。熱源機３を増設する場合には、熱源機３の増設台数に応じて枝管３２及び流量調整弁３３が増設され、そして、増設された枝管３２が、増設された熱源機３に接続されている第２配管１２に接続される。
【００３６】
従って、ヘッダ３１に設けられている循環ポンプ１７の働きによって、貯湯タンク２から第１配管を経由してヘッダ３１に湯水が流れ、ヘッダ３１から各枝管３２に湯水が流れ、そして、各枝管３２から各第２配管１２を経由して各熱源機３に湯水が流れる。すなわち、貯湯タンク２に貯えられた湯水は、第１ヘッダユニット１５に設けられている１つの循環ポンプ１７の働きによって、貯湯タンク２と複数台の熱源機３との間で循環し、複数台の熱源機３により加熱される。
【００３７】
このような構成の第１ヘッダユニット１５によれば、コストウエイトの高い循環ポンプ１７を１台にして、循環ポンプ１７よりもコストウエイトの低い流量調整弁３３を複数の枝管３２の各々に設けているので、循環ポンプ１７を複数の枝管３２の各々に設ける上記図２の構成（すなわち熱源機３の設置台数と同じ数の循環ポンプ１７を設ける構成）と比較して、低コスト化を図ることができる。
【００３８】
図５（ａ）（ｂ）は、上記第１ヘッダユニット１５のさらに別の構成を示す。この第１ヘッダユニット１５は、上記図２の構成に加え、複数の枝管３２同士を接続するバイパス管３４を備えており、バイパス管３４に、複数の枝管３２同士を連通する状態と遮断する状態とに切替える仕切り弁３５が設けられている。
【００３９】
仕切り弁３５は、各循環ポンプ１７が正常なときに閉じられ、いずれかの循環ポンプ１７が故障したときに開かれる。仕切り弁３５が閉じているときには、複数の枝管３２同士が遮断され、仕切り弁３５が開いているときには、複数の枝管３２同士が連通される。すなわち、各循環ポンプ１７が正常なときには、仕切り弁３５が閉じられて、複数の枝管３２同士が遮断され、いずれかの循環ポンプ１７が故障したときには、仕切り弁３５が開かれて、複数の枝管３２同士が連通される。
【００４０】
この第１ヘッダユニット１５は、上記図２の構成の場合と同様に、ヘッダ３１が、上記貯湯タンク２に接続されている第１配管１１に接続され、複数の枝管３２が、上記複数台の熱源機３に接続されている複数の第２配管１２の各々に接続される。
【００４１】
従って、枝管３２ａに設けられている循環ポンプ１７ａ、及び枝管３２ｂに設けられている循環ポンプ１７ｂが正常なときには、仕切り弁３５が閉じられて枝管３２ａと枝管３２ｂが遮断されているため、各循環ポンプ１７ａ、１７ｂの働きによって、貯湯タンク２から第１配管を経由してヘッダ３１に湯水が流れ、ヘッダ３１から各枝管３２ａ、３２ｂに湯水が流れ、そして、各枝管３２ａ、３２ｂから各第２配管１２を経由して各熱源機３に湯水が流れる（図５（ａ）参照）。すなわち、各循環ポンプ１７ａ、１７ｂが正常なときには、貯湯タンク２に貯えられた湯水は、各循環ポンプ１７ａ、１７ｂの働きによって、貯湯タンク２と複数台の熱源機３との間で循環し、複数台の熱源機３により加熱される。
【００４２】
一方、枝管３２ａに設けられている循環ポンプ１７ａが故障したときには、仕切り弁３５が開かれて枝管３２ａと枝管３２ｂが連通されるため、枝管３２ｂに設けられている循環ポンプ１７ｂの働きによって、貯湯タンク２から第１配管を経由してヘッダ３１に湯水が流れ、ヘッダ３１から枝管３２ｂに湯水が流れると共に、枝管３２ｂからバイパス管３４及び仕切り弁３５を経由して枝管３２ａに湯水が流れ、そして、各枝管３２ａ、３２ｂから各第２配管１２を経由して各熱源機３に湯水が流れる（図５（ｂ）参照）。すなわち、枝管３２ａに設けられている循環ポンプ１７ａが故障したときには、貯湯タンク２に貯えられた湯水は、枝管３２ｂに設けられている循環ポンプ１７ｂの働きによって、貯湯タンク２と複数台の熱源機３との間で循環し、複数台の熱源機３により加熱される。
【００４３】
また、枝管３２ｂに設けられている循環ポンプ１７ｂが故障したときには、枝管３２ａに設けられている循環ポンプ１７ａの働きによって、貯湯タンク２から第１配管を経由してヘッダ３１に湯水が流れ、ヘッダ３１から枝管３２ａに湯水が流れると共に、枝管３２ａからバイパス管３４及び仕切り弁３５を経由して枝管３２ｂに湯水が流れ、そして、各枝管３２ａ、３２ｂから各第２配管１２を経由して各熱源機３に湯水が流れる。すなわち、枝管３２ｂに設けられている循環ポンプ１７ｂが故障したときには、貯湯タンク２に貯えられた湯水は、枝管３２ａに設けられている循環ポンプ１７ａの働きによって、貯湯タンク２と複数台の熱源機３との間で循環し、複数台の熱源機３により加熱される。
【００４４】
このような構成の第１ヘッダユニット１５によれば、いずれかの循環ポンプ１７が故障した場合、仕切り弁３５を開いてバイパス管３４を介して複数の枝管３２同士を連通することにより、他の正常な循環ポンプ１７により、貯湯タンク２と複数台の熱源機３との間で湯水を循環させて、代替運転することができる。
【００４５】
なお、本発明は、上記実施形態の構成に限られず、種々の変形が可能である。例えば、循環ポンプ１７は、第１ヘッダユニット１５に代えて、第２ヘッダユニット１６に設けられていてもよい。この場合、循環ポンプ１７は、第２ヘッダユニット１６の枝管４２からヘッダ４１に湯水を流すように、水流を発生すればよい。
【図面の簡単な説明】
【００４６】
【図１】本発明の一実施形態に係る貯湯式給湯システムのシステム構成図。
【図２】同貯湯式給湯システムの第１のヘッダユニットの構成を示す図。
【図３】同貯湯式給湯システムの第２のヘッダユニットの構成を示す図。
【図４】同貯湯式給湯システムの第１のヘッダユニットの別の構成を示す図。
【図５】同貯湯式給湯システムの第１のヘッダユニットのさらに別の構成を示す図であり、（ａ）は各循環ポンプが正常なときの湯水の流れを示す図、（ｂ）はいずれかの循環ポンプが故障したときの湯水の流れを示す図。
【図６】従来の貯湯式給湯システムのシステム構成図。
【図７】別の従来の貯湯式給湯システムのシステム構成図。
【符号の説明】
【００４７】
１    貯湯式給湯システム
２    貯湯タンク
３    熱源機
３ｏ    熱交換部
１１    第１配管
１２    第２配管
１３    第３配管
１４    第４配管
１５    第１ヘッダユニット
１６    第２ヘッダユニット
１７    循環ポンプ
２１    給水配管
２２    高温出湯配管
２３    混合出湯配管
２４    高温分岐配管
２５    低温分岐配管
２６    混合弁
３１    ヘッダ
３２    枝管
３３    流量調整弁
３４    バイパス管
３５    仕切り弁
４１    ヘッダ
４２    枝管
５０    タンクユニット
【図１】
0005247190.tif 000002
【図２】
0005247190.tif 000003
【図３】
0005247190.tif 000004
【図４】
0005247190.tif 000005
【図５】
0005247190.tif 000006
【図６】
0005247190.tif 000007
【図７】
0005247190.tif 000008